(57)【要約】【課題】樹脂製のスライド式引き出しであって、重厚感、高級感のある引き出しを提供する。【解決手段】樹脂で成形された引き出し１００は、引き出しの幅方向に延びる前板１０１と、底板１２と、幅方向に直交する引き出し方向に、前板と所定の間隔を隔てて立設した背板１５と、を備え、樹脂よりも比重の大きい材料よりなる錘部材１３を内蔵している。【選択図】図４
2018023450.tif 000002
【特許請求の範囲】
【請求項１】
樹脂で成形された引き出しであって、
前記引き出しの幅方向に延びる前板と、
底板と、
前記幅方向に直交する引き出し方向に、前記前板と所定の間隔を隔てて立設した背板と、を備え、
前記樹脂よりも比重の大きい材料よりなる錘部材を内蔵した、引き出し。
【請求項２】
前記底板の裏側に、前記錘部材を収納するための収納スペースを有する、請求項１に記載の引き出し。
【請求項３】
前記錘部材は、重心が前記幅方向の中心または略中心となる位置に配置されている、請求項１または２に記載の引き出し。
【請求項４】
前記錘部材は、前記引き出し方向の中心よりも手前側に配置されている、請求項１〜請求項３のいずれか一項に記載の引き出し。
【請求項５】
前記引き出しは、上面に洗面ボウルが載置される洗面キャビネットに配置されるものであって、洗面ボウルの取付台の直下に位置し、前記取付台に載設された前記洗面ボウルの前側部を覆う幕板を前板として、前記幕板と前記洗面ボウルの前側部との間の空間内に配設される幕板収納タイプである、請求項１〜請求項４のいずれか一項に記載の引き出し。
【請求項６】
前記引き出しは、仕切板によって前記幅方向に複数個の小空間部に仕切られており、
前記錘部材は、前記複数個の小空間部それぞれに配置される複数の錘プレートからなる、請求項５に記載の引き出し。
【請求項７】
洗面ボウルの取付台と、
前記取付台の直下に位置し、前記取付台に載設された前記洗面ボウルの前側部を覆う幕板と、
前記幕板を前板とした、請求項１〜６のいずれか一項に記載の引き出しと、を備える、化粧台キャビネット。
【発明の詳細な説明】
【技術分野】
【０００１】
この発明は引き出しおよび化粧台キャビネットに関し、特に、樹脂製の引き出しおよび該引き出しを備えた化粧台キャビネットに関する。
【背景技術】
【０００２】
たとえば特開２０１５−１２３２０４号公報（特許文献１）に開示されているように、化粧台キャビネット用の引き出しなどの複雑な形状の引き出しは、樹脂によって成形される。
【先行技術文献】
【特許文献】
【０００３】
【特許文献１】特開２０１５−１２３２０４号公報
【発明の概要】
【発明が解決しようとする課題】
【０００４】
しかしながら、樹脂で成形された引き出しは軽量であるため、ユーザに重厚感や高級感に欠ける印象を与える場合がある。特に、高級な化粧台キャビネット等に取り付けられる場合、化粧台キャビネットとアンバランスであったり、化粧台キャビネットまで高級感に欠ける印象を与えたりし兼ねない。
【０００５】
本発明のある局面における目的は、重厚感、高級感のある引き出し、および該引き出しを搭載した化粧台キャビネットを提供することである。
【課題を解決するための手段】
【０００６】
ある実施の形態に従うと、引き出しは、樹脂で成形された引き出しであって、引き出しの幅方向に延びる前板と、底板と、幅方向に直交する引き出し方向に、前板と所定の間隔を隔てて立設した背板と、を備え、樹脂よりも比重の大きい材料よりなる錘部材を内蔵している。
樹脂で成形された引き出しに、金属製などの樹脂よりも比重の大きい材料よりなる錘部材が内蔵されることによって、引き出しに重量が付与される。錘部材によって重量が付与されることにより、錘部材が内蔵されない場合よりも引き出しの操作により多くの力が必要とされる。その結果、樹脂製の軽い引き出しであっても操作時の重量感が増す。また、引き出しの操作時の音の音質が低くなる。そのために、金属製などの樹脂よりも比重の大きい材料で製造された引き出しと同様の操作感を呈する。その結果、樹脂製の軽い引き出しであっても引き出しの重厚感、高級感が増す。
【０００７】
好ましくは、引き出しは、底板の裏側に、錘部材を収納するための収納スペースを有する。
錘部材がこのような収納スペースに内設されることにより、錘部材の落下を防止できると共に、収納スペースへの小物の落ち込みを防止できる。また、引き出し内部の清掃性も向上することができる。
【０００８】
好ましくは、錘部材は、重心が幅方向の中心または略中心となる位置に配置されている。
これにより、引き出しの操作時の幅方向のバランスが保たれ、操作性を向上することができる。
【０００９】
好ましくは、錘部材は、引き出し方向の中心よりも手前側に配置されている。
これにより、引き出しの操作時に持ち上げられて真上に位置する部材などに衝突することを防止できる。その結果、引き出しの操作性を向上することができる。
【００１０】
好ましくは、引き出しは、上面に洗面ボウルが載置される洗面キャビネットに配置されるものであって、洗面ボウルの取付台の直下に位置し、取付台に載設された洗面ボウルの前側部を覆う幕板を前板として、幕板と洗面ボウルの前側部との間の空間内に配設される幕板収納タイプである。
幕板と直上の取付台との間の隙間は通常、狭いため、幕板を前板とするスライド式の引き出しを設けると、出し入れの際に取付台と干渉する可能性が高い。これに対して、引き出しに錘部材が内蔵されることによって、正面方向へまっすぐに引き出し、押し込みやすくなる。その結果、引き出しと取付台との干渉が防止されて、引き出しの操作性を向上させることができる。
【００１１】
好ましくは、引き出しは、仕切板によって幅方向に複数個の小空間部に仕切られており、錘部材は、複数個の小空間部それぞれに配置される複数の錘プレートからなる。
仕切板が設けられることによって、強度、特に前方への引き出しおよび後方への押し込みに対する強度が補強される。また、錘部材が複数の錘プレートから構成されることによって、錘部材を重心が幅方向の中心または略中心となる位置に配置しやすくなる。
【００１２】
他の実施の形態に従うと、化粧台キャビネットは、洗面ボウルの取付台と、取付台の直下に位置し、取付台に載設された洗面ボウルの前側部を覆う幕板と、幕板を前板とした上記の引き出しと、を備える。
幕板と直上の取付台との間の隙間は通常、狭いため、幕板を前板とするスライド式の引き出しを設けると、出し入れの際に取付台と干渉する可能性が高い。これに対して、引き出しに錘部材が内蔵されることによって、正面方向へまっすぐに引き出し、押し込みやすくなる。その結果、引き出しと取付台との干渉が防止されて、引き出しの操作性を向上させることができる。
また、樹脂で成形された引き出しに、金属製などの樹脂よりも比重の大きい材料よりなる錘部材が内蔵されることによって、引き出しに重量が付与され、錘部材が内蔵されない場合よりも引き出しの操作により多くの力が必要とされる。その結果、樹脂製の軽い引き出しであっても操作時の重量感が増す。また、引き出しの操作時の音の音質が低くなる。そのために、金属製などの樹脂よりも比重の大きい材料で製造された引き出しと同様の操作感を呈する。その結果、樹脂製の軽い引き出しであっても引き出しの重厚感、高級感が増し、化粧台キャビネット全体の重厚感、高級感に馴染んで該化粧台キャビネットの品位を損なうことがない。
【発明の効果】
【００１３】
この発明によると、樹脂製のスライド式引き出しであって、重厚感、高級感のある引き出しを提供することができる。また、このような引き出しが化粧台キャビネットに設けられることによって、化粧台キャビネットの重厚感、高級感に馴染み、該化粧台キャビネットの品位を損なうことがない。
【図面の簡単な説明】
【００１４】
【図１】実施の形態にかかる引き出しを備えた化粧台キャビネットの斜視図である。
【図２】図１中のＡ−Ａ位置における断面図である。
【図３】実施の形態にかかる引き出しの斜視図である。
【図４】引き出しの分解図である。
【図５】図３中のＢ−Ｂ位置における端面図である。
【図６】引き出しに内蔵される錘部材の一例を表した図である。
【発明を実施するための形態】
【００１５】
以下に、図面を参照しつつ、好ましい実施の形態について説明する。以下の説明では、同一の部品および構成要素には同一の符号を付してある。それらの名称および機能も同じである。したがって、これらの説明は繰り返さない。
【００１６】
［引き出しおよび化粧台キャビネットの説明］
図１は、本実施の形態にかかる引き出し１００を備えた化粧台キャビネット（以下、キャビネット）３００の斜視図である。図２は、本実施の形態にかかる引き出し１００の斜視図である。
本実施の形態にかかる引き出し１００は樹脂で成形された、前方側に引き出し可能なスライド式引き出しである。引き出し１００は、一例として、図１に示されたようにキャビネット３００に取り付けられる。
【００１７】
詳しくは、図１を参照して、キャビネット３００は、洗面キャビネット３０１と、洗面ボウル３０５の上方に位置するミラーキャビネット３０３と、を含む。洗面キャビネット３０１の上面は洗面ボウル３０５の取付台３１を構成し、その上に洗面ボウル３０５が載設されて取り付けられる。
【００１８】
取付台３１の下側には収納部３２が構成されて、開口した前面に１つまたは複数の引き出し３３などが取り付けられる。取付台３１の直下には、取付台３１に載設された洗面ボウル３０５の前側部を覆う、幅方向に延びる化粧板である幕板１０１が設けられる。幕板１０１は、前方から洗面ボウル３０５の前側部が見えないように覆う部材であるため、取付台３１との間の隙間Ｇが極めて小さくなるように設置される。隙間Ｇは、たとえば２ｍｍ〜５ｍｍ程度である。
【００１９】
図２を参照して、一例として、ボウル部３５は前縁部から底部に向けて緩やかな曲線形状を有する。この場合、ボウル部３５の前側部と幕板１０１との間に空間が生じる。引き出し１００は、一例として、当該空間を収納スペースとして利用するための、幕板１０１を前板とする幕板収納タイプである。なお、幕板１０１を前板とするスライド式引き出しは引き出し１００の一例であって、引き出し１００は、たとえば図１の引き出し３３のような、一般的なスライド式引き出しであってもよい。
【００２０】
図３は、引き出し１００の斜視図であって、キャビネット３００から引き出した状態の斜視図である。図３を参照して、引き出し１００は、前板とする幕板１０１と、底板１２と、幕板１０１と所定の距離を隔てて立設した背板１５と、これらにより構成された上向きに開放した長溝状の収納部１０と、を有する。引き出し１００は、収納部１０がボウル部３５の前側部と幕板１０１との間の空間に収まるようにキャビネット３００に設けられる。なお、以降の説明において、キャビネット３００に設けられた引き出し１００を引き出す向きを前方、および押し込む向きを後方、前方および後方を引き出し方向とも称する。また、引き出し方向に直交する方向を幅方向とも称する。
【００２１】
収納部１０内には、引き出し方向に延びる仕切板１１が設けられる。仕切板１１は、一例として、引き出し１００の幅方向を略三等分する位置に配置される左仕切板１１Ｌおよび右仕切板１１Ｒからなる。これにより、収納部１０は幅方向に略三等分されて、小空間部である左収納部１０Ａ、中央収納部１０Ｂ、および右収納部１０Ｃから構成される。また、底板１２は、各収納部に応じた左底板１２Ａ、中央底板１２Ｂ、および右底板１２Ｃから構成される。仕切板１１が設けられることによって、強度、特に前方への引き出しおよび後方への押し込みに対する強度が補強される。
【００２２】
引き出し１００の両側部には前面から後方側に受けて、それぞれローラーＲを有するガイド部材１６が延設されている。収納部３２の側壁内壁には図示しないレール部材が取り付けられている。これにより、引き出し１００は、ガイド部材１６がレール部材にガイドされて前後に摺動自在となる。幕板１０１からガイド部材１６の後端に設けられたローラーＲまでの長さＬが引き出し１００を引き出し可能な最大長さとなる。
【００２３】
図４は、引き出し１００の分解図であって、引き出し１００の底部を分解した図である。また図５は、図３のＢ−Ｂ位置における端面図である。図４および図５を参照して、底板１２の裏面側には、幅方向に延びるポケット１４が形成され、ポケット１４に錘部材１３が内設される。ポケット１４は、錘部材１３を収納するための収納スペースである。錘部材１３がポケット１４に内設されることによって、引き出し１００の操作の際に錘部材１３が落下することを防止できる。
【００２４】
錘部材１３は、樹脂よりも比重の大きい材料よりなる。錘部材１３は、たとえば金属製である。このような錘部材１３が内蔵されることにより、引き出し１００に重量が付与される。
【００２５】
錘部材１３は、一例として、複数枚の、同形状の錘プレート１３Ａ〜１３Ｃからなる。図６は、錘部材１３を構成する１枚の錘プレートの具体例を表した図である。ポケット１４には１枚または複数の錘プレートである錘部材１３が内設され、その上側に底板１２が載設される。このため、収納部１０の上方からは、錘部材１３および錘部材１３が内設されたポケット１４は底板１２に覆われて見えない。これにより、収納部１０内の美観が保たれると共に、ピンなどの小物がポケット１４内に落ち込むことを防止できる。また、収納部１０内の清掃性を向上させることもできる。
【００２６】
錘部材１３は、引き出し１００の引き出し方向の中心より手前側に配置される。引き出し１００が幕板収納タイプである場合、収納部１０は、引き出し１００の引き出し可能な最大長さＬの中央よりも手前側、つまり引き出し方向の中心よりも手前側に位置する。そのため、収納部１０の底板１２の裏面側に設けられたポケット１４に内設されることによって、引き出し１００の引き出し方向の中心より手前側に配置されることになる。これにより、引き出し１００が引き出された直後から引き出し１００に対して下向きに力が働く。特に、引き出し１００がユーザの肘より下方に備えられるものである場合、引き出し１００は上に引き出される傾向が強い。こういった場合であっても、引き出し１００の引き出し方向の中心より手前側に錘部材１３が配置されることによって、引き出し１００が持ち上げられて真上に位置する取付台３１に衝突することを防止できる。その結果、引き出し１００の引き出し操作、押し込み操作の操作性を向上することができる。
【００２７】
錘部材１３は、重心が幅方向の中心または略中心となる位置に配置される。一例として、ポケット１４のうちの左収納部１０Ａの左底板１２Ａの裏面側に錘プレート１３Ａが内設され、中央収納部１０Ｂの中央底板１２Ｂの裏面側に錘プレート１３Ｂが内設され、右収納部１０Ｃの右底板１２Ｃの裏面側に錘プレート１３Ｃが内設される。他の例として、左右収納部１０Ａ，Ｃのみに錘プレート１３Ａ，Ｃが内設されてもよいし、中央収納部１０Ｂにのみに錘プレート１３Ｃ内設されてもよい。錘部材１３が複数枚の錘プレートから構成されることによって、錘部材１３を重心が幅方向の中心または略中心となる位置に配置しやすくなる。このように配置することにより、ユーザが引き出し１００の幅方向の中央付近を持って引き出したり押し込んだりする際に、幅方向のバランスが保たれる。その結果、引き出し１００の引き出し操作、押し込み操作の操作性が維持される。
【００２８】
なお、図４および図５では、左収納部１０Ａ、中央収納部１０Ｂ、および右収納部１０Ｃそれぞれのポケット１４に錘プレートが２枚ずつ内設されている例が示されているが、ポケット１４に内設される錘プレートの数は限定されない。さらに、図６に示されるように、錘プレートにはボルト孔が設けられて、ポケット１４の側壁にボルトで固定されてもよい。これにより、ポケット１４内での錘プレートの揺れを抑えることができる。その結果、引き出し１００の操作時の錘部材１３の揺れによる振動や音の発生を防止できる。
【００２９】
［実施の形態の効果］
樹脂で成形された引き出し１００に、金属製などの樹脂よりも比重の大きい材料よりなる錘部材１３が内蔵されることによって、引き出し１００に重量が付与される。錘部材１３によって重量が付与されることにより、錘部材１３が内蔵されない場合よりも引き出し１００の操作により多くの力が必要とされる。
【００３０】
発明者らは、引き出し１００に錘部材１３を内蔵した場合と内蔵していない場合との、引き出し１００を引き出し方向に引き出す力を測定して比較した。測定には、プッシュプルゲージまたはプッシュプルスケールなどと呼ばれるフォースゲージを用いた。その結果、錘部材１３を内蔵することで内蔵しない場合の約２倍の力が必要となることを確認した。なお、このとき、錘部材１３を内蔵していない引き出し１００の重量との比率が３：７となる重量の錘部材１３を使用した。発明者らによる測定に基づいて、内蔵することで内蔵しない場合の約２倍程度の力が必要となるようにする錘部材１３の重量は、好ましくは、錘部材１３を内蔵していない引き出し１００の重量との比率が３：７〜５：５を満たす重量である。つまり、好ましくは、錘部材１３の重量は、錘部材１３を内蔵していない引き出し１００の重量の約４０％〜１００％である。
【００３１】
引き出し１００の操作に要する力が錘部材１３を内蔵していない場合の２倍程度となることによって、樹脂製の軽い引き出しであっても操作時の重量感が増す。また、引き出し１００を洗面キャビネット３０１に押し込んだ際の音や、引き出す際の音の音質が低くなる。そのために、金属製などの樹脂よりも比重の大きい材料で製造された引き出しと同様の操作感を呈する。その結果、樹脂製の軽い引き出しであっても引き出し１００の重厚感、高級感が増す。
【００３２】
錘部材１３は、引き出し１００の底板１２の裏面側に設けられた収納スペースであるポケット１４に収納されることによって、引き出し１００が引き出された状態で収納部１０の上方からは、錘部材１３および錘部材１３を内設したポケット１４は底板１２によって覆われている。これにより、錘部材１３の落下を防止できると共に、ポケット１４への小物の落ち込みを防止でき、また、収納部１０内部の清掃性も向上することができる。
【００３３】
また、錘部材１３は、重心が幅方向の中心または略中心となる位置に配置されることにより、引き出し１００操作時の幅方向のバランスが保たれ、操作性を向上することができる。また、錘部材１３は、引き出し方向の中心よりも手前に配置されることにより、引き出し１００操作時に持ち上げられて真上に位置する取付台３１などに衝突することを防止できる。その結果、引き出し１００の操作性を向上することができる。
【００３４】
一例として、引き出し１００はキャビネット３００の洗面キャビネット３０１に設けられるものであって、洗面ボウル３０５の取付台３１の直下の、取付台３１に載設された洗面ボウルの前側部を覆う幕板１０１を前板とする幕板収納タイプである。引き出し１００は樹脂製であるため、幕板１０１背面と洗面ボウル３０５との間の空間に適した形状に成形することができる。そのため、引き出し１００をこの位置に設けることで、デッドスペースとなる空間を有効活用できる。幕板１０１と直上の取付台３１との間の隙間Ｇは極めて狭いため、幕板１０１を前板とするスライド式の引き出しは、出し入れの際に取付台３１と干渉する可能性が高い。これに対して、引き出し１００に錘部材１３を配置することによって、特に、引き出し方向の中心よりも手前側に配置することによって、正面方向へまっすぐに引き出し、押し込みやすくなる。その結果、取付台３１との干渉が防止されて、操作性を向上させることができる。また、錘部材１３が内蔵されることによって、重厚感、高級感を呈して、キャビネット３００全体の品位を損なうことがない。
【００３５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３６】
１０  収納部
１０Ａ  左収納部
１０Ｂ  中央収納部
１０Ｃ  右収納部
１１  仕切板
１１Ｌ  左仕切板
１１Ｒ  右仕切板
１２  底板
１２Ａ  左底板
１２Ｂ  中央底板
１２Ｃ  右底板
１３  錘部材
１３Ａ〜１３Ｃ  錘プレート
１４  ポケット
１５  背板
１６  ガイド部材
３１  取付台
３２  収納部
３３  引き出し
３５  ボウル部
１００  引き出し
１０１  幕板
３００  化粧台キャビネット
３０１  洗面キャビネット
３０３  ミラーキャビネット
３０５  洗面ボウル
Ｇ  隙間
Ｒ  ローラー
【図１】
2018023450.tif 000003
【図２】
2018023450.tif 000004
【図３】
2018023450.tif 000005
【図４】
2018023450.tif 000006
【図５】
2018023450.tif 000007
【図６】
2018023450.tif 000008